(57)【要約】【課題】  釣合オモリにカバーを取り付ける場合、専用のオモリ枠を設けることなく、かつ最小限のコストアップで、安全に作業ができる釣合オモリを提供すること。【解決手段】  オモリ枠６に複数のオモリブロック７が垂直方向に積み上げられて設けられるエレベータの釣合オモリ３において、オモリブロック７の側面部を覆うように設けられ、端部にコの字状の曲げ部が形成されるカバー８と、曲げ部の水平面に設けられ、曲げ部をオモリブロック７の最上面に固定するオモリ押さえ金具９とを備え、曲げ部の水平面がオモリブロック７の最上面に載せられて、オモリ押さえ金具９によりオモリブロック７の最上面に取り付けられた釣合オモリ、を設けた。【選択図】      図１
2014223958.tif 000002
【特許請求の範囲】
【請求項１】
オモリ枠に複数のオモリブロックが垂直方向に積み上げられて設けられるエレベータの釣り合いオモリにおいて、前記オモリブロックの側面部を覆うように設けられ、端部にＬ字またはコの字状の曲げ部が形成されるカバーと、
前記曲げ部の水平面に設けられ、前記曲げ部を前記オモリブロックの最上面に固定する固定手段と、を備え、
前記曲げ部の水平面が前記オモリブロックの最上面に載せられて、前記固定手段により前記オモリブロックの最上面に取り付けられたことを特徴とするエレベータの釣合オモリ。
【請求項２】
前記オモリ枠に設けられ、前記オモリブロックの最上面を垂直方向に押圧して、前記オモリブロックの上下動を抑えるオモリ押さえ金具を備え、前記固定手段が前記オモリ押さえ金具であることを特徴とする請求項１に記載のエレベータの釣合オモリ。
【請求項３】
前記曲げ部の上面に設けられるボルトと、前記曲げ部の水平面に前記ボルトが貫通可能な穴を有する前記カバーと、を備え、
前記固定手段が前記ボルトであることを特徴とする請求項１に記載のエレベータの釣合オモリ。
【請求項４】
前記オモリブロックの最上面に形成され、前記ボルトと嵌合するめねじを備えたことを特徴とする請求項３に記載のエレベータの釣合オモリ。
【請求項５】
前記穴の一部に形成され、前記ボルトのネジ部が通過可能な幅を有する切り欠き部を備えたことを特徴とする請求項３〜４のいずれかに記載のエレベータの釣合オモリ。
【発明の詳細な説明】
【技術分野】
【０００１】
この発明は、展望用エレベータの釣合オモリに関するものである。
【背景技術】
【０００２】
近年、エレベータも建物のデザインの一部として捉えられ、昇降路のシースルー化（展望用）のニーズが高まっている。これにより、昇降路内に設置された機器が、かご内または昇降路外から容易に見えることから、昇降路内に設置された機器の「見栄え対策」も重要な要素となっている。その一つとして、釣合オモリのオモリ枠に積層された鉄板や鋳物製のオモリブロックの外観を覆い隠すためのカバーがある。
【先行技術文献】
【特許文献】
【０００３】
【特許文献１】特開平１０-２３６７５１号公報
【発明の概要】
【発明が解決しようとする課題】
【０００４】
このような釣合オモリに設けられるオモリブロックのカバーは、オモリ枠に取り付けられている。そのため、通常使用されるオモリ枠ではカバーを取り付けることができないため、カバーを取り付けるための構造（取付用のネジ穴等）を有する専用のオモリ枠が必要であった。また、既設のオモリ枠にカバーを取り付ける場合でも、新たに専用のオモリ枠を設置する必要があり、既設のオモリ枠をそのまま流用することができなかった。これにより、釣合オモリにカバーを取り付ける場合、新たに専用のオモリ枠が必要になるため、コストアップの要因となるという問題があった。また、専用のオモリ枠にカバーを取り付けるとき、作業者がカバーを支えながらネジ固定するため、カバーを落下させてしまう危険性があるという問題があった。
【０００５】
この発明は、上記のような課題を解決するためになされたものであり、釣合オモリにカバーを取り付ける場合、専用のオモリ枠を設けることなく、かつ最小限のコストアップで、安全に作業ができる釣合オモリを提供することを目的とする。
【課題を解決するための手段】
【０００６】
この発明にかかるエレベータの釣合オモリは、オモリ枠に複数のオモリブロックが垂直方向に積み上げられて設けられるエレベータの釣合オモリにおいて、オモリブロックの側面部を覆うように設けられ、端部にＬ字またはコの字状の曲げ部が形成されるカバーと、曲げ部の水平面に設けられ、曲げ部をオモリブロックの最上面に固定する固定手段と、を備え、曲げ部の水平面がオモリブロックの最上面に載せられて、固定手段によりオモリブロックの最上面に取り付けられたことを特徴とするものである。
【発明の効果】
【０００７】
この発明は、釣合オモリにカバーを取り付ける場合、専用のオモリ枠を設けることなく、かつ最小限のコストアップで、安全に作業ができる釣合オモリを実現できる。
【図面の簡単な説明】
【０００８】
【図１】この発明の実施の形態１によるカバーを外した状態を示す斜視図である。
【図２】この発明の実施の形態１によるバーを取り付けた状態を示す斜視図である。
【図３】展望用エレベータの一例を模式的に示す構成図である。
【図４】この発明の実施の形態２によるカバーを外した状態を示す斜視図である。
【図５】この発明の実施の形態２によるカバーを取り付けた状態を示す斜視図である。
【図６】この発明の実施の形態３によるカバーを外した状態を示す斜視図である。
【図７】この発明の実施の形態３によるカバーを取り付けた状態を示す斜視図である。
【図８】この発明の実施の形態４によるカバーを外した状態を示す斜視図である。
【図９】図８に記載された切り欠き部を示す拡大図である。
【図１０】この発明の実施の形態４によるカバーを取り付けた状態を示す斜視図である。
【発明を実施するための形態】
【０００９】
実施の形態１．
図１〜３は、この発明の実施の形態１によるエレベータの釣合オモリを説明するもので、図１はカバーを外した状態を示す斜視図、図２はカバーを取り付けた状態を示す斜視図、図３は展望用エレベータの一例を模式的に示す構成図である。図に示すように、昇降路１内で乗りかご２と釣合オモリ３が巻上ロープ４により吊られ、場合により乗りかご２と釣合オモリ３が釣合ロープ５で繋がれている。昇降路１の例えば図の左側の壁１Ａはガラス板やプラスチック板など透明材料を用いて形成されており、外側から乗りかご２や釣合オモリ３などが見えるように構成されている。なお、エレベータの乗場は図示を省略している。
【００１０】
釣合オモリ３は、見栄えを良くするために設けられる板状のカバー８を取付けない状態では図１に示すように、オモリ枠６に保持され、乗りかご２と釣合をとるための複数のオモリブロック７が垂直方向に積み上げられて、側面部がむき出しとなっている。カバー８は、端部にコの字状の曲げ部が一体で形成されており、オモリブロック７の側面部を覆うように設けられる。オモリ押さえ金具９は、従来、オモリ枠６に取付または取り外しが可能となるように設けられ、ボルト１０とこのボルト１０と嵌合する穴とを有し、ボルト１０を穴の上側から取り付けて、穴の下側に突出させて、ボルト１０の下端部をオモリブロック７の最上面に当接させて、垂直方向に押圧することで、オモリブロック７の上下動を抑える手段である。また、オモリ押さえ金具９は、オモリ枠６に保持されたオモリブロック７の最上面にカバー８の曲げ部が載せられて、カバー８の曲げ部の上面を垂直方向に押圧し、オモリブロックの最上面にカバー８を固定する手段として設けられる。
【００１１】
次に、上記のように構成された実施の形態１の動作について説明する。先ず、オモリ枠６に保持されたオモリブロック７の最上面にカバー８を取り付ける。このとき、オモリ押さえ金具９はいったん取り外しておく。次に、カバー８の曲げ部の水平面をオモリブロック７の最上面にそのまま載せる。次に、取り外したオモリ押さえ金具９をオモリ枠６の元の位置に取り付ける。ここで、ボルト１０をカバー８の曲げ部の上面に当接させて垂直方向に押圧する。これにより、カバー８がボルト１０によってオモリブロック７の最上面に押圧されて、釣合オモリ３に取り付けられると共に、オモリブロック７の最上面がカバー８の曲げ部を介して垂直方向に押圧される。
【００１２】
上記のように実施の形態１によれば、オモリ枠６に複数のオモリブロック７が垂直方向に積み上げられて設けられるエレベータの釣合オモリ３において、オモリブロック７の側面部を覆うように設けられ、端部にコの字状の曲げ部が形成されるカバー８と、曲げ部の水平面に設けられ、曲げ部をオモリブロック７の最上面に固定するオモリ押さえ金具９と、を備え、曲げ部の水平面がオモリブロック７の最上面に載せられて、オモリ押さえ金具９によりオモリブロック７の最上面に取り付けられたことにより、新たに専用のオモリ枠を設けることなく、釣合オモリ３にカバー８を取り付けることができる。また、カバー８を釣合オモリ３に取り付けるために、曲げ部をオモリブロック７の最上面に載せたとき、曲げ部のコの字の水平面とオモリブロック７の最上面とが平行して当接することで、カバー８は自重でその状態が安定するので、作業者がカバー８を支えなくても作業をおこなうことができる。そのため、最小限のコストアップで、安全に作業ができる釣合オモリを実現できる。
【００１３】
なお、曲げ部をオモリブロック７の最上面に固定する固定手段として、オモリ押さえ金具９を設けたが、他の固定手段を設けても良い。例えば、オモリ枠６にボルトを固定する金具（図示しない）を設けて、この金具を介してボルトにより曲げ部の上面から押圧することで釣合オモリ３にカバー８を取り付けることができる。
【００１４】
なお、カバー８の端部にはコの字状の曲げ部を形成しているが、図８に示すようなＬ字状の曲げ部を形成しても良い。この曲げ部は、コの字状に形成した場合、端部がおもりブロック７の側面部に引っ掛かるので、オモリブロック７の最上面に安定して取り付けることができる。一方で、Ｌ字状に形成した場合、コの字状のような端部は無いため、端部がおもりブロック７の側面部に引っ掛からないため、オモリブロック７の最上面に取り付ける際の安定性ではコの字状より少々劣る面もある。しかし、Ｌ字状の方がコの字状に比べて曲げ回数が少ないためコスト削減には有利となる。
【００１５】
実施の形態２．
図４は、この発明の実施の形態２によるカバー１１を外した状態を示す斜視図である。図５はこの発明の実施の形態２によるカバー１１を取り付けた状態を示す斜視図である。この発明の実施の形態２による釣合オモリは、カバー１１の曲げ部の水平面に穴１２を備えていることが異なり、それ以外の同様な部分に同じ記号を付記し説明を省略する。
図４において、カバー１１はカバー８と同じ形状の曲げ部が形成されており、曲げ部の水平面には、ボルト１０のネジ部が貫通可能な穴１２が設けられている。穴１２は、カバー１１の曲げ部の水平面をオモリブロック７の最上面にそのまま載せて、ボルト１０でカバー１１の曲げ部の水平面を介してオモリブロック７の最上面を押圧するとき、ボルト１０が貫通可能な位置に設けられている。
【００１６】
次に、上記のように構成された実施の形態２の動作について説明する。先ず、オモリ枠６に保持されたオモリブロック７の最上面にカバー１１を取り付ける。このとき、オモリ押さえ金具９はいったん取り外しておく。次に、カバー１１の曲げ部の水平面をオモリブロック７の最上面にそのまま載せる。次に、取り外したオモリ押さえ金具９をオモリ枠６の元の位置に取り付ける。ここで、ボルト１０をカバー１１の曲げ部の上面から穴１２に貫通させて、垂直方向に押圧する。これにより、オモリブロック７の最上面は、ボルト１０が当接して垂直方向に押圧されると共に、カバー１１がオモリブロック７の最上面に取り付けられる。
【００１７】
上記のように実施の形態２によれば、曲げ部の上面に設けられるボルト１０と、曲げ部の水平面にボルト１０が貫通可能な穴１２を有するカバー１１と、を備えたことにより、従来、オモリブロック７の上下動を抑える手段として設けられていたボルト１０はそのままで、曲げ部をオモリブロック７の最上面に固定する固定手段として流用できる。そのため、新たに固定手段を設けること無く、最小限のコストアップで釣合オモリ３にカバー８を取り付けることができる。
【００１８】
実施の形態３．
図６は、この発明の実施の形態３によるカバー１３を外した状態を示す斜視図である。図７はこの発明の実施の形態３によるカバー１３を取り付けた状態を示す斜視図である。この発明の実施の形態３による釣合オモリ３は、オモリブロック７の最上面に形成され、曲げ部の上面に設けられるボルト１４と嵌合するめねじ１５とを備えていることが異なり、それ以外の同様な部分に同じ記号を付記し説明を省略する。
図６において、カバー１３はカバー８と同じ形状の曲げ部が形成されており、曲げ部の水平面には、ボルト１４のネジ部が貫通可能な穴１６が設けられている。穴１６は、カバー１３の曲げ部の水平面をオモリブロック７の最上面にそのまま載せたとき、オモリブロック７のめねじ１５の位置の垂直投影面と同じ位置に設けられている。
【００１９】
次に、上記のように構成された実施の形態３の動作について説明する。先ず、オモリ枠６に保持されたオモリブロック７の最上面にカバー１３を取り付ける。このとき、オモリ押さえ金具９はいったん取り外しておく。次に、カバー１３の曲げ部の水平面をオモリブロック７の最上面にそのまま載せる。次に、取り外したオモリ押さえ金具９をオモリ枠６の元の位置に取り付ける。ここで、ボルト１４をカバー１３の曲げ部の上面から穴１６に貫通させて、めねじ１５に嵌合させて取り付ける。これにより、オモリブロック７の最上面は、ボルト１０が当接して垂直方向に押圧されると共に、カバー１３がオモリブロック７の最上面に取り付けられる。
【００２０】
上記のように実施の形態３によれば、オモリブロック７の最上面に形成され、ボルト１４と嵌合するめねじ１５を備えたことにより、例えば、オモリ押さえ金具９が無いタイプの釣合オモリ３であっても、オモリ枠６に新たに固定手段を設ける必要が無い。そのため、最小限のコストアップで釣合オモリ３にカバー１３を取り付けることができる。
【００２１】
実施の形態４．
図８は、この発明の実施の形態４によるカバー１７を外した状態を示す斜視図である。図９は、図８の切り欠き部を示す拡大図Ａである。図１０はこの発明の実施の形態４によるカバー１７を取り付けた状態を示す斜視図である。この発明の実施の形態４による釣合オモリ３は、カバー１７の端部にＬの字状の曲げ部が一体で形成されていること、及び穴１２の一部にボルト１０のネジ部が通過可能な幅を有する切り欠き部１８が形成されていること、が異なり、それ以外の同様な部分に同じ記号を付記し説明を省略する。
図８において、カバー１７の端部にはＬの字状の曲げ部が形成されており、曲げ部の水平面には、穴１２と穴１２の一部にボルト１０のネジ部が通過可能な幅を有する切り欠き部１８が設けられている。切り欠き部１８は、カバー１７の曲げ部の水平面をオモリブロック７の最上面を載せるとき、オモリ押さえ金具９のボルト１０を取り付けた状態のままで、ボルト１０のネジ部を通過させて、穴１２にボルト１０を嵌め込むことが可能な位置に設けられている。
【００２２】
次に、上記のように構成された実施の形態４の動作について説明する。先ず、オモリ枠６に保持されたオモリブロック７の最上面にカバー１７を取り付ける。このとき、オモリ押さえ金具９は取り付けた状態のままにして、ボルト１０は緩めておく。次に、カバー１７の曲げ部の水平面を、おもり押さえ金具９とオモリブロック７の最上面との間に挿入する。このとき、ボルト１０のネジ部は切り欠き部１８に通過させながら、穴１２に到達させて嵌め込む。これにより、オモリブロック７の最上面は、ボルト１０が当接して垂直方向に押圧されると共に、カバー１７がオモリブロック７の最上面に取り付けられる。
【００２３】
上記のように実施の形態４によれば、穴１２の一部に形成され、ボルト１０のネジ部が通過可能な幅を有する切り欠き部１８を備えたことにより、オモリ押さえ金具９を取りはずことなく、カバー１７の曲げ部の水平面をオモリブロック７の最上面に載せることができる。そのため、オモリ押さえ金具９を取り外す手間が不要になるため、安全な作業で釣合オモリ３にカバー１７を取り付けることができる。
【符号の説明】
【００２４】
１  昇降路、１Ａ  壁、２  かご室、３  釣合オモリ、４  巻上ロープ、５  釣合ロープ、６  オモリ枠、７  オモリブロック、８  カバー、９  オモリ押さえ金具、１０  ボルト、１１  カバー、１２  穴、１３  カバー、１４  ボルト、１５  めねじ、１６  穴、１７  カバー、１８  切り欠き部  
【産業上の利用可能性】
【００２５】
本発明は、展望用エレベータの釣合オモリに関するものである。
【図１】
2014223958.tif 000003
【図２】
2014223958.tif 000004
【図３】
2014223958.tif 000005
【図４】
2014223958.tif 000006
【図５】
2014223958.tif 000007
【図６】
2014223958.tif 000008
【図７】
2014223958.tif 000009
【図８】
2014223958.tif 000010
【図９】
2014223958.tif 000011
【図１０】
2014223958.tif 000012